(57)【要約】【課題】省スペースで設置でき、かつ電源コードを接続したときの外観が優れた電気機器を提供する。【解決手段】機器本体１０および当該機器本体１０の少なくとも一部を覆う封止体２０を有し、内部に電子部品を備え、電源コード３４が接続する電気機器において、機器本体１０に封止体２０を組み付けた際に、機器本体１０の本体周縁端部および封止体２０の封止端部が隙間部Ｓを有するようにそれぞれ重なる領域を設け、電源コード３４が隙間部Ｓを挿通している。【選択図】図５
2014199894.tif 000002
【特許請求の範囲】
【請求項１】
機器本体および当該機器本体の少なくとも一部を覆う封止体を有し、内部に電子部品を備え、電源コードが接続する電気機器において、
前記機器本体に前記封止体を組み付けた際に、前記機器本体の本体周縁端部および前記封止体の封止端部が隙間部を有するようにそれぞれ重なる領域を設け、
前記電源コードが前記隙間部を挿通する電気機器。
【請求項２】
前記隙間部が、前記本体周縁端部および前記封止端部の少なくとも何れか一方に形成した溝部である請求項１に記載の電気機器。
【請求項３】
前記封止端部に、前記溝部に対応する位置に前記電源コードが係入する切欠部が形成された請求項２に記載の電気機器。
【請求項４】
前記機器本体の底面に、前記溝部と接続する裏側溝部を設けた請求項２または３に記載に電気機器。
【請求項５】
前記機器本体の内面に前記電源コードを押圧する機器本体側押圧突起部を設け、
前記封止体の内面に前記電源コードを押圧する封止体側押圧突起部を設け、
前記機器本体側押圧突起部および前記封止体側押圧突起部を交互に配設してある請求項１〜４の何れか一項に記載の電気機器。
【発明の詳細な説明】
【技術分野】
【０００１】
本発明は、機器本体および当該機器本体の少なくとも一部を覆う封止体を有し、内部に電子部品を備え、電源コードが接続する電気機器に関する。
【背景技術】
【０００２】
電気機器の一種として、壁面に設置される防災用又は防犯用の警報器がある。
このような電気機器は、機器本体および当該機器本体の少なくとも一部を覆う封止体を有し、機器本体および封止体で囲まれた空間の内部に、基板部、端子台、電源部などの電子部品を備えていた。これらの電子部品のうち、基板部には電源コードが接続していた。
【０００３】
尚、本発明における従来技術となる上述した電気機器は、一般的な技術であるため、特許文献等の従来技術文献は示さない。
【発明の概要】
【発明が解決しようとする課題】
【０００４】
電源コードは、一般に、筐体の通線穴に固定されるブッシングを挿通して電気機器に取り付けられる。ブッシングは、引張りやねじれから電源コードを保護する部材であり、さらに電源コードと筐体との隙間を解消するために配設される。この場合、電気機器の正面視では、電源コードおよびブッシングの両方が認識できる。
【０００５】
しかし、通常、ブッシングは筐体から突出した状態で電気機器に配設されるため、突出した分だけ電気機器を配設するスペースを余分に確保する必要があった。また、ブッシングが筐体から突出した状態は、電気機器の見た目の観点からもすっきりしていない印象を使用者に与えることがあった。
【０００６】
従って、本発明の目的は、省スペースで設置でき、かつ電源コードを接続したときの外観が優れた電気機器を提供することにある。
【課題を解決するための手段】
【０００７】
上記目的を達成するための本発明に係る電気機器は、機器本体および当該機器本体の少なくとも一部を覆う封止体を有し、内部に電子部品を備え、電源コードが接続する電気機器であって、その第一特徴構成は、前記機器本体に前記封止体を組み付けた際に、前記機器本体の本体周縁端部および前記封止体の封止端部が隙間部を有するようにそれぞれ重なる領域を設け、前記電源コードが前記隙間部を挿通する点にある。
【０００８】
本構成では、本体周縁端部および封止端部によって形成された隙間部を電源コードが挿通する。機器本体に封止体を組み付けた際、当該封止体が機器本体を覆うように配設されるため、本体周縁端部が封止端部の内側に位置するように構成できる。このとき、電気機器の正面視では隙間部は視認できず、背面視では視認できる（図７）。即ち、電源コードは電気機器の背面側から隙間部挿通し、筐体の内部で回路基板に接続する。このとき、電気機器を縦姿勢としたときの下側面の側において、従来の電気機器のようにブッシングが筐体から突出した態様にはならないため、省スペースで電気機器を設置できる。また、電源コードと電気機器との接続部位は正面視では視認できないため、見た目にもすっきりとした優れた外観となる。
【０００９】
本発明に係る電気機器の第二特徴構成は、前記隙間部を、前記本体周縁端部および前記封止端部の少なくとも何れか一方に形成した溝部とした点にある。
【００１０】
本構成によれば、電源コードを当該溝部に嵌入させた状態で隙間部に挿通させることができる。従って、当該溝部を形成することで、隙間部を電源コードが挿通できるだけの幅で形成することができるため、外部から筐体の内部に異物が侵入するのを未然に防止することができる。
【００１１】
本発明に係る電気機器の第三特徴構成は、前記封止端部に、前記溝部に対応する位置に前記電源コードが係入する切欠部を形成した点にある。
【００１２】
機器本体に封止体を組み付けた際、当該封止体が機器本体を覆うように配設されるため、封止体は電気機器の正面の側から機器本体を封止する。本構成のように封止端部に切欠部を形成すると、溝部に嵌入している電源コードを切欠部に係入させることで電気機器の正面の側に引き出し易くなる。
【００１３】
本発明に係る電気機器の第四特徴構成は、前記機器本体の底面に、前記溝部と接続する裏側溝部を設けた点にある。
【００１４】
本構成によれば、溝部および裏側溝部に沿って電源コードを嵌入させることができるため、当該電源コードを隙間部から電気機器の底面に連続的に沿わせて配設することができる。このとき、電源コードは電気機器の底面に嵌入しているため、見た目にもすっきりとした優れた外観を呈する。
【００１５】
本発明に係る電気機器の第五特徴構成は、前記機器本体の内面に前記電源コードを押圧する機器本体側押圧突起部を設け、前記封止体の内面に前記電源コードを押圧する封止体側押圧突起部を設け、前記機器本体側押圧突起部および前記封止体側押圧突起部を交互に配設した点にある。
【００１６】
本構成によれば、電源コードを押圧する機器本体側押圧突起部および封止体側押圧突起部を交互に配設することで、筐体の内部で電源コードを反対側から交互に押圧することができる。そのため、電源コードを筐体の内部で確実に保持することができる。よって、電源コードの引っ張りや捻じれを確実に防止でき、電源コードの電気機器の内部での接続状態が不良となるのを未然に防止することができる。
【図面の簡単な説明】
【００１７】
【図１】本発明の電気機器の斜視図である。
【図２】電気機器の要部分解図である。
【図３】電気機器の内部を示した概略図である。
【図４】機器本体および封止体のそれぞれの内面の要部概略図である。
【図５】電源コード挿入孔付近の概略図である。
【図６】電気機器の底面視の概略図である。
【図７】電気機器の側面の要部断面図である。
【発明を実施するための形態】
【００１８】
以下、本発明の実施形態を図面に基づいて説明する。
図１〜７に示したように、本発明の電気機器Ｘは、機器本体１０および当該機器本体１０の少なくとも一部を覆う封止体２０を有し、内部に電子部品３０を備え、電源コード３４が接続し、機器本体１０に封止体２０を組み付けた際に、機器本体１０の本体周縁端部１２ａおよび封止体２０の封止端部２１が隙間部Ｓを有するようにそれぞれ重なる領域を設けてある。本発明の電気機器Ｘは、電源コード３４が隙間部Ｓを挿通している。
【００１９】
電気機器Ｘは、壁面に設置する態様であればどのような機器であってもよい。当該壁面に設置する電機機器としては、例えば防災用又は防犯用の警報器が挙げられる。本実施形態では、電気機器Ｘとして、可燃性ガス（ＬＰガス）の漏洩を検知するガス警報器を屋内の壁面に設置する態様について説明する。当該電気機器Ｘの形状は特に限定されるものではないが、本実施形態では上面視で矩形状であり、厚板状（例えば４３×７９×２３ｍｍ）の形状を呈するものを例示する。
【００２０】
機器本体１０は回路基板３３を収容するものであり、底面１１と側面１２とを一体に形成して構成されている。即ち、底面１１および側面１２とで囲まれた空間に回路基板３３が収容される。側面１２の端部（封止体２０の側）には、封止体２０と重ね配置される本体周縁端部１２ａが形成してある。本実施形態では、機器本体１０に封止体２０を組み付けた際、本体周縁端部１２ａと封止端部２１とが重ね配置されたときに、本体周縁端部１２ａが内側に位置する場合について説明する。
【００２１】
封止体２０は、機器本体１０の少なくとも一部を覆う部材である。封止体２０には電気機器Ｘの電源の投入の有無を示すランプ部２２を設けている。
【００２２】
回路基板３３には、例えばガス検知部３１、報知部３２などの電子部品３０が配設してある。本実施形態では、電気機器Ｘの内部に配設した電子部品３０を湿気から保護するため、電気機器Ｘの内部空間を樹脂Ｒで封入している。
【００２３】
ガス検知部３１は、被検知ガスである可燃性ガス（ＬＰガス）を検知するものであればどのような態様であってもよく、例えば公知の半導体式センサ素子や接触燃焼式センサ素子などを設けたものを使用できる。
【００２４】
報知部３２は、ガス検知部からの信号を受けて警報を発するものであればどのような態様であってもよく、例えば圧電スピーカなどの音声を発する態様、或いは、ＬＥＤなどの光を発する態様などを使用することができる。
【００２５】
本発明の電気機器Ｘは、電源コード３４が本体周縁端部１２ａおよび封止端部２１によって形成された隙間部Ｓを挿通している。当該隙間部Ｓが電源コード挿入孔４０となる。
【００２６】
本実施形態の隙間部Ｓは、電気機器Ｘを縦姿勢としたときの下側面の側に設けるように構成してある。また、機器本体１０に封止体２０を組み付けた際、本実施形態では本体周縁端部１２ａが内側に位置するため、電気機器Ｘの正面視では隙間部Ｓは視認できず、背面視では視認できる（図７）。即ち、電源コード３４は電気機器Ｘの背面側から電源コード挿入孔４０（隙間部Ｓ）に挿通し、筐体の内部で回路基板３３に接続する（図５〜７）。このとき、電気機器Ｘを縦姿勢としたときの下側面の側において、従来の電気機器のようにブッシングが筐体から突出した態様にはならないため、省スペースで電気機器Ｘを設置できる。また、電源コード３４と電気機器Ｘとの接続部位は正面視では視認できないため、見た目にもすっきりとした優れた外観となる。
【００２７】
本実施形態では、隙間部Ｓとして、本体周縁端部１２ａに、電源コード３４が嵌入する溝部Ｂが形成してある。そのため、電源コード３４を当該溝部Ｂに嵌入させた状態で挿入孔４０（隙間部Ｓ）に挿通させることができる。従って、当該溝部Ｂを形成することで、隙間部Ｓを電源コード３４が挿通できるだけの幅で形成することができる。
【００２８】
また、本実施形態では、封止端部２１に、溝部Ｂに対応する位置に電源コード３４が係入する切欠部Ｎが形成してある。
【００２９】
封止体２０は電気機器Ｘの正面の側から機器本体１０を封止する。本構成のように封止端部２１に切欠部Ｎを形成すると、溝部Ｂに嵌入している電源コード３４を切欠部Ｎに係入させることで電気機器Ｘの正面の側に引き出し易くなる。
【００３０】
さらに、本実施形態では、機器本体１０の内面に電源コード３４を押圧する機器本体側押圧突起部１３を設け、封止体２０の内面に前記電源コード３４を押圧する封止体側押圧突起部２３を設けてある。機器本体側押圧突起部１３は、機器本体１０に封止体２０を組み付けた際に、封止体２０の方向に電源コード３４を押圧し、封止体側押圧突起部２３は、機器本体１０に封止体２０を組み付けた際に、機器本体１０の方向に電源コード３４を押圧する。本構成において、当該機器本体側押圧突起部１３および封止体側押圧突起部２３は、電機機器Ｘを縦姿勢とした場合の上下方向において、交互に配設する。機器本体１０の内面から突出する機器本体側押圧突起部１３の高さ、および、封止体２０の内面から突出する封止体側押圧突起部２３の高さは、電気機器Ｘを縦姿勢としたときの上下面からの側面視において、機器本体側押圧突起部１３および封止体側押圧突起部２３が互いに重なるように設定すればよい。機器本体側押圧突起部１３および封止体側押圧突起部２３の設置数は特に限定されるものではなく、それぞれ複数以上設けることが可能である。
【００３１】
本構成のように、電源コード３４を押圧する機器本体側押圧突起部１３および封止体側押圧突起部２３を交互に配設することで、筐体の内部で電源コード３４を反対側から交互に押圧することができる。そのため、筐体の内部で電源コード３４を所謂Ｓ字状の態様で確実に保持することができる。よって、電源コード３４の引っ張りや捻じれを確実に防止でき、電源コード３４および回路基板３３の接続状態が不良となるのを未然に防止することができる。
【００３２】
本実施形態では、機器本体１０の底面１１に、溝部Ｂと接続する裏側溝部Ｂ１を設けてある（図６）。
【００３３】
本構成では、溝部Ｂおよび裏側溝部Ｂ１に沿って電源コード３４を嵌入させることができるため、当該電源コード３４を電源コード挿入孔４０（隙間部Ｓ）から電気機器Ｘの底面１１に連続的に沿わせて配設することができる。このとき、電源コード３４は電気機器Ｘの底面１１に嵌入しているため、見た目にもすっきりとした優れた外観を呈する。
【００３４】
〔別実施の形態〕
上述した実施形態では、隙間部Ｓとして、本体周縁端部１２ａに電源コード３４が嵌入する溝部Ｂが形成してある場合について説明したが、この態様に限定されるものではなく、封止端部２１に溝部Ｂを形成してもよい。この場合、封止端部２１に形成された溝部Ｂと裏側溝部Ｂ１とを接続するため、封止端部２１を機器本体１０の底面１１付近まで延設するとよい。
また、本構成においても、溝部Ｂに対応する位置に電源コード３４が係入する切欠部Ｎを形成することが可能である。この場合、当該切欠部Ｎは、封止端部２１に形成された溝部Ｂの端部と接続するように形成するとよい。
【００３５】
また、溝部Ｂは、本体周縁端部１２ａおよび封止端部２１の両方のそれぞれに形成してもよい。この場合、本体周縁端部１２ａに設けられた溝部と、封止端部２１に設けられた溝部とが対面するように、機器本体１０および封止体２０を組み付けるとよい。
【産業上の利用可能性】
【００３６】
本発明は、機器本体および当該機器本体の少なくとも一部を覆う封止体を有し、内部に電子部品を備え、電源コードが接続する電気機器に利用できる。
【符号の説明】
【００３７】
Ｘ          電気機器
Ｂ          溝部
Ｂ１        裏側溝部
Ｎ          切欠部
Ｓ          隙間部
１０        機器本体
１２ａ      本体周縁端部
１３        機器本体側押圧突起部
２０        封止体
２１        封止端部
２３        封止体側押圧突起部
３０        電子部品
３４        電源コード
【図１】
2014199894.tif 000003
【図２】
2014199894.tif 000004
【図３】
2014199894.tif 000005
【図４】
2014199894.tif 000006
【図５】
2014199894.tif 000007
【図６】
2014199894.tif 000008
【図７】
2014199894.tif 000009